(57)【要約】【課題】面倒な作業を必要とせずにデータを効率的に送信することが可能な移動通信装置、通信回線品質予測値管理装置、及び移動通信システムを提供する。【解決手段】移動通信装置で通信回線品質を測定し、通信回線品質予測値管理装置で予測される通信回線品質を管理して移動通信装置に通知することで、移動通信装置がデータ送信前に通信回線品質及び通信回線品質予測値の良否判定を行えるようにし、通信回線品質が良好であると判定してからデータ送信を開始するようにする。これにより、通信が切断されてしまう可能性を低減できるとともに、データ送信開始時に通信回線品質が良好でない場合も通信回線品質が良好になってからデータの送信を行うことができる。【選択図】　図５
2004080421.tif 000002
【特許請求の範囲】
【請求項１】
データ送信開始指示により前記データ送信を行う為の通信回線の通信回線品質を測定する通信回線品質測定手段と、
前記通信回線品質が前記データ送信を行うことが可能な品質である場合に、前記データの送信先に前記データの送信を開始するデータ送信手段とを備えることを特徴とする移動通信装置。
【請求項２】
更新可能な通信回線品質の閾値が記録される通信回線品質閾値記録部と、
前記通信回線品質測定手段により測定された通信回線品質と前記通信回線品質閾値とを比較し、前記通信回線品質が前記通信回線品質閾値よりも大きい場合に、前記通信回線品質が前記データ送信可能な品質であると判定する通信回線品質判定手段とを備えることを特徴とする請求項１記載の移動通信装置。
【請求項３】
現在位置を検出する位置検出手段と、
前記現在位置情報を、所定期間における統計に基づく通信回線品質の予測値を所定位置毎に管理する通信回線品質予測値管理装置に送信する位置情報送信手段と、
前記現在位置情報に基づいて前記通信回線品質予測値管理装置から送信されてくる前記現在位置付近における前記予測値が前記データ送信を行うことが可能な値であるかどうかを判定する判定手段とを備え、
前記データ送信手段は、前記通信回線品質判定手段及び前記判定手段の判定結果がいずれも前記データ送信可能な状態である場合に、前記データ送信を開始することを特徴とする請求項２記載の移動通信装置。
【請求項４】
更新可能な前記データのデータ量閾値が記録される送信データ量閾値記録部と、
前記送信するデータのデータ量と前記送信データ量閾値とを比較する比較手段とを備え、
前記データ送信手段は、前記データ量が前記送信データ量閾値より小さい場合、前記通信回線品質判定手段の判定結果のみに基づいて前記データ送信を開始することを特徴とする請求項３記載の移動通信装置。
【請求項５】
前記データの送信先毎の送信優先度情報が記録される送信先情報記録部と、
データ送信の優先度を示す更新可能な送信優先度情報の閾値が記録される送信優先度閾値記録部と、
前記送信優先度と前記送信優先度閾値とを比較する優先度比較手段とを備え、前記データ送信手段は、前記優先度比較手段による比較の結果、前記データの送信先の前記送信優先度が前記送信優先度閾値よりも高い場合、前記通信回線品質判定手段及び前記判定手段の判定結果を待たずに前記データ送信を開始することを特徴とする請求項３又は請求項４記載の移動通信装置。
【請求項６】
現在位置を検出する位置検出手段と、
前記現在位置情報を、所定期間における統計に基づく通信回線品質の予測値を所定エリア毎に管理する通信回線品質予測値管理装置に送信する位置情報送信手段と、
前記現在位置情報に基づいて前記通信回線品質予測値管理装置から送信されてくる前記現在位置が含まれるエリアにおける前記予測値が前記データ送信を行うことが可能な値であるかどうかを判定する判定手段とを備え、
前記データ送信手段は、前記通信回線品質判定手段及び前記判定手段の判定結果がいずれも前記データ送信可能な状態である場合に、前記データ送信を開始することを特徴とする請求項２記載の移動通信装置。
【請求項７】
更新可能な前記データのデータ量閾値が記録される送信データ量閾値記録部と、
前記送信するデータのデータ量と前記送信データ量閾値とを比較する比較手段とを備え、
前記データ送信手段は、前記データ量が前記送信データ量閾値より小さい場合、前記通信回線品質判定手段の判定結果のみに基づいて前記データ送信を開始することを特徴とする請求項６記載の移動通信装置。
【請求項８】
前記データの送信先毎の送信優先度情報が記録される送信先情報記録部と、
データ送信の優先度を示す更新可能な送信優先度情報の閾値が記録される送信優先度閾値記録部と、
前記送信優先度と前記送信優先度閾値とを比較する優先度比較手段とを備え、前記データ送信手段は、前記優先度比較手段による比較の結果、前記データの送信先の前記送信優先度が前記送信優先度閾値よりも高い場合、前記通信回線品質判定手段及び前記判定手段の判定結果を待たずに前記データ送信を開始することを特徴とする請求項６又は請求項７記載の移動通信装置。
【請求項９】
現在位置を検出する位置検出手段と、
移動速度を検出する移動速度検出手段と、
前記現在位置情報及び前記移動速度情報を、所定期間における統計に基づく通信回線品質の予測値を所定エリア毎に管理する通信回線品質予測値管理装置に送信する情報送信手段と、
前記現在位置情報及び前記移動速度情報に基づいて前記通信回線品質予測値管理装置から送信されてくる、前記移動通信装置が前記現在位置から移動する予測範囲に含まれるエリアにおける通信回線品質の予測値のうち最低値であるものが、前記データ送信を行うことが可能な値であるかどうかを判定する判定手段とを備え、
前記データ送信手段は、前記通信回線品質判定手段及び前記判定手段の判定結果がいずれも前記データ送信可能な状態である場合に、前記データ送信を開始することを特徴とする請求項２記載の移動通信装置。
【請求項１０】
更新可能な前記データのデータ量閾値が記録される送信データ量閾値記録部と、
前記データ送信で送信するデータ量と前記送信データ量閾値とを比較する比較手段とを備え、
前記データ送信手段は、前記データ量が前記送信データ量閾値より小さい場合、前記通信回線品質判定手段の判定結果のみに基づいて前記データ送信を開始することを特徴とする請求項９記載の移動通信装置。
【請求項１１】
前記データの送信先毎の送信優先度情報が記録される送信先情報記録部と、
データ送信の送信優先度を示す更新可能な送信優先度情報の閾値が記録される送信優先度閾値記録部と、
前記送信優先度と前記送信優先度閾値とを比較する優先度比較手段とを備え、前記データ送信手段は、前記優先度比較手段による比較の結果、前記データの送信先の前記送信優先度が前記送信優先度閾値よりも大きい場合、前記通信回線品質判定手段及び前記判定手段の判定結果を待たずに前記データ送信を開始することを特徴とする請求項９又は請求項１０記載の移動通信装置。
【請求項１２】
所定期間における統計に基づく通信回線品質の予測値が所定位置毎に記録される通信回線品質予測値記録部と、
移動通信装置から送信される前記移動通信装置の現在位置情報に基づいて、前記移動通信装置の現在位置付近における前記予測値を前記移動通信装置に送信する予測値送信手段とを備えることを特徴とする通信回線品質予測値管理装置。
【請求項１３】
所定期間における統計に基づく通信回線品質の予測値が所定エリア毎に記録される通信回線品質予測値記録部と、
移動通信装置から送信される前記移動通信装置の現在位置情報に基づいて、前記移動通信装置の現在位置を含むエリアにおける前記予測値を前記移動通信装置に送信する予測値送信手段とを備えることを特徴とする通信回線品質予測値管理装置。
【請求項１４】
所定期間における統計に基づく通信回線品質の予測値が所定エリア毎に記録される通信回線品質予測値記録部と、
移動通信装置から送信される前記移動通信装置の現在位置情報及び前記移動通信装置の移動速度情報に基づいて、前記移動通信装置が前記現在位置から移動する範囲を予測する移動範囲予測手段と、
前記移動範囲予測手段によって予測された範囲に含まれるエリアにおける通信回線品質の予測値のうち最低値であるものを前記通信回線品質予測値記録部から読み出して前記移動通信装置に送信する予測値送信手段とを備えることを特徴とする通信回線品質予測値管理装置。
【請求項１５】
請求項３乃至請求項５のいずれか記載の移動通信装置と請求項１２記載の通信回線品質予測値管理装置とを備えることを特徴とする移動通信システム。
【請求項１６】
請求項６乃至請求項８のいずれか記載の移動通信装置と請求項１３記載の通信回線品質予測値管理装置とを備えることを特徴とする移動通信システム。
【請求項１７】
請求項９乃至請求項１１のいずれか記載の移動通信装置と請求項１４記載の通信回線品質予測値管理装置とを備えることを特徴とする移動通信システム。
【発明の詳細な説明】
【０００１】
【発明の属する技術分野】
本発明は、データ送受信機能を備えた移動通信装置、通信回線品質予測値管理装置、及び移動通信システムに関する。
【０００２】
【従来の技術】
従来の携帯電話機は、他の携帯電話機とデータ通信を行う際、携帯電話機内の通信制御部が通信回線接続部を使用して通信回線に接続し、他の携帯電話機にデータを送信している。
【０００３】
【発明が解決しようとする課題】
しかしながら、従来の携帯電話機においては、通信回線品質が劣悪な状態では、データ送信を開始しても、そのデータ送信の途中で通信が切断されてしまうという問題点があった。又、通信回線品質が劣悪な状態では、データ送信そのものが開始できない等の問題点もあった。この場合、携帯電話機の利用者は、通信回線品質が良好になるのを待ったり、通信回線品質が良好な場所に移動したりしてから、データ送信を手動でやり直す必要があり、その操作が面倒である。
【０００４】
そこで、データ送信が途中で切断された後に、通信状態が良好になってから自動的にデータ送信を再開する携帯電話機として特開２０００−１５１７４９号公報に開示されているものがある。しかしながら、この携帯電話機では、データ送信が途中で切断された場合、既に送信完了していたデータをもう一度自動的に再送信することになる為、データ送信が切断されるまでに送信したデータが無駄になってしまうという問題点があった。
【０００５】
本発明は上記問題点に鑑みてなされたものであり、面倒な作業を必要とせずにデータを効率的に送信することが可能な移動通信装置、通信回線品質予測値管理装置、及び移動通信システムを提供することを目的とする。
【０００６】
【課題を解決する為の手段】
本発明の移動通信装置は、データ送信開始指示により前記データ送信を行う為の通信回線の通信回線品質を測定する通信回線品質測定手段と、前記通信回線品質が前記データ送信を行うことが可能な品質である場合に、前記データの送信先に前記データの送信を開始するデータ送信手段とを備えることを特徴とする。
【０００７】
この構成により、通信回線品質がデータ送信可能な品質になってからデータ送信が開始される為、データ送信が途中で切断される可能性を低減することができる。また、通信回線品質が悪い状態でも、データ送信開始指示を行っておくことで、通信回線品質がデータ送信可能な品質になってからデータ送信が開始される為、通信回線品質が良くなってからデータ送信作業を繰り返す必要を無くすことができる。したがって、面倒な作業やデータ送信の切断による送信済みデータの無駄を無くすことができ、効率良くデータ送信を行うことができる。
【０００８】
又、本発明の移動通信装置は、更新可能な通信回線品質の閾値が記録される通信回線品質閾値記録部と、前記通信回線品質測定手段により測定された通信回線品質と前記通信回線品質閾値とを比較し、前記通信回線品質が前記通信回線品質閾値よりも大きい場合に、前記通信回線品質が前記データ送信可能な品質であると判定する通信回線品質判定手段とを備えることを特徴とする。
【０００９】
この構成により、通信回線品質閾値を高く設定した場合は、通信回線品質が高く確実にデータ送信が可能な状態になってからデータ送信が開始され、通信回線品質閾値を低く設定した場合は、通信回線品質が低くデータ送信が失敗する可能性がある状態においてもデータ送信が開始される。この為、確実にデータを送信したい場合やすぐにデータを送信したい場合等の様々な要求に応じてデータ送信を行うことができる。
【００１０】
又、本発明の移動通信装置は、現在位置を検出する位置検出手段と、前記現在位置情報を、所定期間における統計に基づく通信回線品質の予測値を所定位置毎に管理する通信回線品質予測値管理装置に送信する位置情報送信手段と、前記現在位置情報に基づいて前記通信回線品質予測値管理装置から送信されてくる前記現在位置付近における前記予測値が前記データ送信を行うことが可能な値であるかどうかを判定する判定手段とを備え、前記データ送信手段は、前記通信回線品質判定手段及び前記判定手段の判定結果がいずれも前記データ送信可能な状態である場合に、前記データ送信を開始することを特徴とする。
【００１１】
この構成により、通信回線品質の予測値と測定値の２つの値がデータ送信可能な値でなければデータ送信を開始しない為、データ送信が途中で切断される可能性がより低くなり、確実にデータ送信を行うことが可能となる。
【００１２】
又、本発明の移動通信装置は、更新可能な前記データのデータ量閾値が記録される送信データ量閾値記録部と、前記送信するデータのデータ量と前記送信データ量閾値とを比較する比較手段とを備え、前記データ送信手段は、前記データ量が前記送信データ量閾値より小さい場合、前記通信回線品質判定手段の判定結果のみに基づいて前記データ送信を開始することを特徴とする。
【００１３】
この構成により、送信するデータのデータ量が少ない場合には送信時間も短い為、通信回線品質予測値によるデータ送信の判定を行わず、実際の測定値のみによるデータ送信の判定によってデータ送信を開始することで、データ送信が途中で切断される可能性をより低くしつつ、なるべく早くデータ送信を開始することができる。
【００１４】
又、本発明の移動通信装置は、前記データの送信先毎の送信優先度情報が記録される送信先情報記録部と、データ送信の優先度を示す更新可能な送信優先度情報の閾値が記録される送信優先度閾値記録部と、前記送信優先度と前記送信優先度閾値とを比較する優先度比較手段とを備え、前記データ送信手段は、前記優先度比較手段による比較の結果、前記データの送信先の前記送信優先度が前記送信優先度閾値よりも高い場合、前記通信回線品質判定手段及び前記判定手段の判定結果を待たずに前記データ送信を開始することを特徴とする。
【００１５】
この構成により、データ送信優先度が高い送信先については、データ送信開始の判定を待たずにデータ送信を開始することで、できるだけ早くデータを送信したいといった要求にも対応することができる。
【００１６】
又、本発明の移動通信装置は、現在位置を検出する位置検出手段と、前記現在位置情報を、所定期間における統計に基づく通信回線品質の予測値を所定エリア毎に管理する通信回線品質予測値管理装置に送信する位置情報送信手段と、前記現在位置情報に基づいて前記通信回線品質予測値管理装置から送信されてくる前記現在位置が含まれるエリアにおける前記予測値が前記データ送信を行うことが可能な値であるかどうかを判定する判定手段とを備え、前記データ送信手段は、前記通信回線品質判定手段及び前記判定手段の判定結果がいずれも前記データ送信可能な状態である場合に、前記データ送信を開始することを特徴とする。
【００１７】
この構成により、通信回線品質の予測値と測定値の２つの値がデータ送信可能な値でなければデータ送信を開始しない為、データ送信が途中で切断される可能性がより低くなり、確実にデータ送信を行うことが可能となる。
【００１８】
又、本発明の移動通信装置は、更新可能な前記データのデータ量閾値が記録される送信データ量閾値記録部と、前記送信するデータのデータ量と前記送信データ量閾値とを比較する比較手段とを備え、前記データ送信手段は、前記データ量が前記送信データ量閾値より小さい場合、前記通信回線品質判定手段の判定結果のみに基づいて前記データ送信を開始することを特徴とする。
【００１９】
この構成により、送信するデータのデータ量が少ない場合には送信時間も短い為、通信回線品質予測値によるデータ送信の判定を行わず、実際の測定値のみによるデータ送信の判定によってデータ送信を開始することで、データ送信が途中で切断される可能性をより低くしつつ、なるべく早くデータ送信を開始することができる。
【００２０】
又、本発明の移動通信装置は、前記データの送信先毎の送信優先度情報が記録される送信先情報記録部と、データ送信の優先度を示す更新可能な送信優先度情報の閾値が記録される送信優先度閾値記録部と、前記送信優先度と前記送信優先度閾値とを比較する優先度比較手段とを備え、前記データ送信手段は、前記優先度比較手段による比較の結果、前記データの送信先の前記送信優先度が前記送信優先度閾値よりも高い場合、前記通信回線品質判定手段及び前記判定手段の判定結果を待たずに前記データ送信を開始することを特徴とする。
【００２１】
この構成により、データ送信優先度が高い送信先については、データ送信開始の判定を待たずにデータ送信を開始することで、できるだけ早くデータを送信したいといった要求にも対応することができる。
【００２２】
又、本発明の移動通信装置は、現在位置を検出する位置検出手段と、移動速度を検出する移動速度検出手段と、前記現在位置情報及び前記移動速度情報を、所定期間における統計に基づく通信回線品質の予測値を所定エリア毎に管理する通信回線品質予測値管理装置に送信する情報送信手段と、前記現在位置情報及び前記移動速度情報に基づいて前記通信回線品質予測値管理装置から送信されてくる、前記移動通信装置が前記現在位置から移動する予測範囲に含まれるエリアにおける通信回線品質の予測値のうち最低値であるものが、前記データ送信を行うことが可能な値であるかどうかを判定する判定手段とを備え、前記データ送信手段は、前記通信回線品質判定手段及び前記判定手段の判定結果がいずれも前記データ送信可能な状態である場合に、前記データ送信を開始することを特徴とする。
【００２３】
この構成により、現在位置における通信回線品質が良くても、これから移動するエリアにおける通信回線品質も良くなければ、データ送信は開始されない為、データ送信が途中で切断される可能性がより低くなり、確実にデータ送信を行うことが可能となる。
【００２４】
又、本発明の移動通信装置は、更新可能な前記データのデータ量閾値が記録される送信データ量閾値記録部と、前記データ送信で送信するデータ量と前記送信データ量閾値とを比較する比較手段とを備え、前記データ送信手段は、前記データ量が前記送信データ量閾値より小さい場合、前記通信回線品質判定手段の判定結果のみに基づいて前記データ送信を開始することを特徴とする。
【００２５】
この構成により、送信するデータのデータ量が少ない場合には、現在位置から通信回線品質の悪いエリアに移動する前にデータ送信を終了できる可能性が高い為、通信回線品質予測値によるデータ送信の判定を行わないことで、早くデータ送信を開始することができる。
【００２６】
又、本発明の移動通信装置は、前記データの送信先毎の送信優先度情報が記録される送信先情報記録部と、データ送信の送信優先度を示す更新可能な送信優先度情報の閾値が記録される送信優先度閾値記録部と、前記送信優先度と前記送信優先度閾値とを比較する優先度比較手段とを備え、前記データ送信手段は、前記優先度比較手段による比較の結果、前記データの送信先の前記送信優先度が前記送信優先度閾値よりも大きい場合、前記通信回線品質判定手段及び前記判定手段の判定結果を待たずに前記データ送信を開始することを特徴とする。
【００２７】
この構成により、データ送信優先度が高い送信先については、データ送信開始の判定を待たずにデータ送信を開始することで、できるだけ早くデータを送信したいといった要求にも対応することができる。
【００２８】
本発明の通信回線品質予測値管理装置は、所定期間における統計に基づく通信回線品質の予測値が所定位置毎に記録される通信回線品質予測値記録部と、移動通信装置から送信される前記移動通信装置の現在位置情報に基づいて、前記移動通信装置の現在位置付近における前記予測値を前記移動通信装置に送信する予測値送信手段とを備えることを特徴とする。
【００２９】
この構成により、移動通信装置の現在位置付近における通信回線品質の予測値を移動通信装置に送信することができる。
【００３０】
本発明の通信回線品質予測値管理装置は、所定期間における統計に基づく通信回線品質の予測値が所定エリア毎に記録される通信回線品質予測値記録部と、移動通信装置から送信される前記移動通信装置の現在位置情報に基づいて、前記移動通信装置の現在位置を含むエリアにおける前記予測値を前記移動通信装置に送信する予測値送信手段とを備えることを特徴とする。
【００３１】
この構成により、通信回線品質の予測値を所定位置毎ではなく所定エリア毎に記録しておく為、記録するデータ量を削減することができる。
【００３２】
本発明の通信回線品質予測値管理装置は、所定期間における統計に基づく通信回線品質の予測値が所定エリア毎に記録される通信回線品質予測値記録部と、移動通信装置から送信される前記移動通信装置の現在位置情報及び前記移動通信装置の移動速度情報に基づいて、前記移動通信装置が前記現在位置から移動する範囲を予測する移動範囲予測手段と、前記移動範囲予測手段によって予測された範囲に含まれるエリアにおける通信回線品質の予測値のうち最低値であるものを前記通信回線品質予測値記録部から読み出して前記移動通信装置に送信する予測値送信手段とを備えることを特徴とする。
【００３３】
この構成により、移動通信装置では、予測される移動範囲に含まれるエリア内における最低の予測値と現在位置における実際の測定値とに基づいてデータ送信開始の判定を行うことが可能な為、通信回線の大きな変動にも対応することが可能となる。
【００３４】
本発明の移動通信システムは、請求項３乃至請求項５のいずれか記載の移動通信装置と請求項１２記載の通信回線品質予測値管理装置とを備えることを特徴とする。
【００３５】
本発明の移動通信システムは、請求項６乃至請求項８のいずれか記載の移動通信装置と請求項１３記載の通信回線品質予測値管理装置とを備えることを特徴とする。
【００３６】
本発明の移動通信システムは、請求項９乃至請求項１１のいずれか記載の移動通信装置と請求項１４記載の通信回線品質予測値管理装置とを備えることを特徴とする。
【００３７】
【発明の実施の形態】
以下、本発明の実施の形態について、図面を参照して詳細に説明する。
（実施の形態１）
図１は、本発明の実施の形態１に係る携帯電話機の構成を示すブロック図である。携帯電話機１００は、通信回線接続部１０１と、通信制御部１０２（特許請求の範囲のデータ送信手段、通信回線閾値記録部、通信回線品質判定手段、位置情報送信手段、判定手段、送信データ量閾値記録部、比較手段、送信優先度閾値記録部、優先度比較手段、及び情報送信手段に該当）と、位置検出部１０３（特許請求の範囲の位置検出手段に該当）と、移動速度検出部１０４（特許請求の範囲の移動速度検出手段に該当）と、送信先情報保持部１０５（特許請求の範囲の送信先情報記録部に該当）と、通信回線品質測定部１０６（特許請求の範囲の通信回線品質測定手段に該当）とを備えて構成される。
【００３８】
通信回線接続部１０１、位置検出部１０３、移動速度検出部１０４、送信先情報保持部１０５、及び通信回線品質測定部１０６は通信制御部１０２に接続されている。通信回線接続部１０１は、ベースバンド信号処理回路や無線周波数信号処理回路、アンプ、アンテナ等から構成され、他の携帯電話機との通信を行う際の信号処理を行う。
【００３９】
通信制御部１０２は、通信回線接続部１０１を使用して他の携帯電話機と接続し、データの送受信を行う。又、位置検出部１０３から携帯電話機１００の現在位置を、移動速度検出部１０４から携帯電話機１００の移動速度を、送信先情報保持部１０５からデータの送信先である他の携帯電話機に関する送信先情報を、通信回線品質測定部１０６から現在位置における通信回線品質をそれぞれ読み出す。又、通信制御部１０２は、データ送信を開始するか否かの判定を行い、その判定結果に基づいてデータ送信の開始制御を行う。
【００４０】
位置検出部１０３は携帯電話機１００の現在位置を検出する。移動速度検出部１０４は携帯電話機１００の移動速度を検出する。尚、位置検出部１０３及び移動速度検出部１０４は、距離センサ、方位センサ、ＧＰＳ信号受信回路、及びＧＰＳ信号処理回路等から構成される。
【００４１】
送信先情報保持部１０５は、ＦＲＡＭ等の記憶素子で構成され、データの送信先の携帯電話機の使用者の氏名、電話番号、電子メールアドレス等の送信先情報を記録する。通信回線品質測定部１０６は、電界強度や信号対雑音電力比等の通信回線品質を測定する。
【００４２】
以上のように構成された移動通信装置について、図２を用いてその動作を説明する。
携帯電話機１００の使用者によってデータ送信の指示があると（ステップＳ２０１）、通信制御部１０２は、通信回線品質測定部１０６から通信回線品質を読み出し（ステップＳ２０２）、通信回線品質がデータ送信を開始できる値であるか否かの判定を行う（ステップＳ２０３）。
【００４３】
この判定において、通信回線品質がデータ送信を開始できる値でないと判断した場合（ステップＳ２０３：ＮＯ）は、暫く待機してから再度ステップＳ２０２に移行する。一方、通信回線品質がデータ送信を開始できる値であると判断した場合（ステップＳ２０３：ＹＥＳ）は、送信先情報保持部１０５から送信先情報を読み出し、通信回線接続部１０１を使用して送信先である携帯電話機に接続し、データ送信を行う（ステップＳ２０４）。
【００４４】
このように、本実施の形態の携帯電話機１００によれば、通信制御部１０２は、通信回線品質測定部１０６から読み出した通信回線品質がデータ送信を開始できる値であると確認してから初めてデータの送信を開始する。この為、従来の携帯電話機に比べて確実にデータの送信を行うことができる。又、データ送信開始時に通信回線品質がデータ送信を開始できない値である場合も、携帯電話機１００の使用者がデータ送信の指示を行っておくことで、通信回線品質がデータ送信を開始できる値になってから自動的にデータ送信を開始することができ、面倒な作業を必要とせずに確実にデータを送信することができる。
【００４５】
（実施の形態２）
次に、本発明の実施の形態２に係る携帯電話機について説明する。尚、本実施の形態に係る携帯電話機は、実施の形態１に係る携帯電話機と同じ構成であるので、図１を援用するものとするが、一部異なる構成要素がある為、その構成要素のみについて説明する。
【００４６】
本実施の形態の通信制御部１０２は、携帯電話機１００の利用者が設定可能な通信回線品質閾値を保持しており、通信回線品質がデータ送信を開始できる値か否かの判定を、この通信回線品質閾値と通信回線品質測定部１０６から読み出した通信回線品質とに基づいて行う。
【００４７】
次に、本実施の形態に係る携帯電話機の動作について図３のフローチャートを参照して説明する。
携帯電話機１００の使用者によってデータ送信の指示があると（ステップＳ３０１）、通信制御部１０２は、通信回線品質測定部１０６から通信回線品質を読み出し（ステップＳ３０２）、その通信回線品質の値と通信回線品質閾値とを比較する（ステップＳ３０３）。
【００４８】
通信回線品質の値が通信回線品質閾値よりも低い場合（ステップＳ３０３：ＮＯ）、暫く待機してから再度ステップＳ３０２に移行する。一方、通信回線品質が通信回線品質閾値よりも高い場合（ステップＳ３０３：ＹＥＳ）、通信制御部１０２は、送信先情報保持部１０５から送信先情報を読み出し、通信回線接続部１０１を使用して送信先である他携帯電話機に接続し、データ送信を行う（ステップＳ３０４）。
【００４９】
このように、本実施の形態の携帯電話機によれば、通信制御部１０２は通信回線品質がデータ送信を開始できる値であるか否かの判定基準として通信回線品質閾値を使用する。この通信回線品質閾値は携帯電話機１００の利用者が設定可能である。図４に示すように、例えば通信回線品質閾値をＡとして高く設定すると、データの送信は区間Ａ１及びＡ２でのみ可能となる。一方、通信回線品質閾値をＢとして低く設定すると、データの送信は区間Ｂ１及びＢ２で可能となる。このように、携帯電話機１００の利用者が通信回線品質閾値を調節することで、データの送信に失敗してもいいから早く送りたいとか、多少時間がかかってもよいから確実にデータを送りたいというような要望に対応することができる。
【００５０】
（実施の形態３）
次に、本発明の実施の形態３に係る通信回線品質予測値管理装置について説明する。
図５は、本実施の形態に係る通信回線品質予測値管理装置５００の構成を示すブロック図である。通信回線品質予測値管理装置５００は、通信回線接続部５０１と、通信制御部５０２と、通信回線品質予測値記録部５０３とを備えて構成される。
【００５１】
通信回線接続部５０１と通信回線品質予測値記録部５０３は通信制御部５０２に接続されている。通信回線接続部５０１は、他携帯電話機との通信を行う際の信号処理を行うものであり、図示せぬベースバンド信号処理回路や無線周波数信号処理回路、アンプ、アンテナ等から構成される。
【００５２】
通信制御部５０２は、通信回線接続部５０１を使用して他携帯電話機と接続し、データの送受信を行う。又、通信回線品質予測値記録部５０３から通信回線品質予測値を読み出し、携帯電話機１００に通知する。
【００５３】
通信回線品質予測値記録部５０３は、ＨＤＤ（Ｈａｒｄ　Ｄｉｓｋ　Ｄｒｉｖｅ）等の記憶素子で構成され、位置毎における通信回線品質の所定期間の統計に基づいた通信回線品質が位置毎の予測値として、図６に示す通信回線品質管理テーブルに記録されている。又、通信回線品質予測値記録部５０３には、通信回線品質の予測値が記録されている位置を示すマップが図６に示すように記録されている。
【００５４】
次に、上記構成の通信回線品質予測値管理装置５００と上述した実施の形態２の携帯電話機１００とを備えた移動通信システムの動作について、図７のフローチャートを参照して説明する。
【００５５】
携帯電話機１００の使用者によってデータ送信の指示があると（ステップＳ７０１）、通信制御部１０２は、位置検出部１０３から現在位置を読み出し（ステップＳ７０２）、通信回線接続部１０１を使用して通信回線に接続し、通信回線品質予測値管理装置５００に対して現在位置情報を送信し（ステップＳ７０３）、通信回線品質予測値要求を行う。
【００５６】
通信回線接続部５０１を使用して携帯電話機１００と接続されている通信制御部５０２は、携帯電話機１００からの通信回線品質予測値要求を受けると、携帯電話機１００の現在位置に基づいて、通信回線品質予測値記録部５０３から通信回線品質予測値を読み出す（ステップＳ７０４）。この場合、図６に示したように、携帯電話機１００から送信されてきた現在位置情報から、携帯電話機１００の現在地に最も近い「位置４」の通信回線品質が通信回線品質予測値として読み出される。
【００５７】
図７に戻り、通信制御部５０２は、読み出した通信回線品質予測値を通信回線品質予測値通知として携帯電話機１００に送信する（ステップＳ７０５）。通信制御部１０２は、通信回線品質予測値管理装置５００から送信されてきた通信回線品質予測値がデータ送信を開始できる値であるか否かの判定を行う（ステップＳ７０６）。
【００５８】
通信回線品質予測値がデータ送信を開始できない値であると判定した場合（ステップＳ７０６：ＮＯ）は、暫く待機して、再度、ステップＳ７０３に動作を移行する。一方、通信制御部１０２は通信回線品質予測値がデータ送信を開始できる値であると判定した場合（ステップＳ７０６：ＹＥＳ）、続いて通信回線品質測定部１０６から通信回線品質を読み出し、通信回線品質がデータ送信を開始できる値であるか否かの判定を、通院回線品質閾値との比較により行う（ステップＳ７０７）。
【００５９】
通信回線品質がデータ送信を開始できる値ではないと判定した場合（ステップＳ７０７：ＮＯ）は、暫く待機してから再度、ステップＳ７０３に動作を移行する。一方、通信制御部１０２は、通信回線品質がデータ送信を開始できる値であると判定した場合（ステップＳ７０７：ＹＥＳ）、送信先情報保持部１０５から送信先情報を読み出し、通信回線接続部１０１を使用して送信先である他携帯電話機に接続し、データ送信を行う（ステップＳ７０８）。
【００６０】
尚、通信回線品質予測値記録部５０３には、位置毎の通信回線品質予測値ではなく、地域毎の通信回線品質予測値を記録しておくようにしても良い。この場合、通信制御部５０２は、携帯電話機１００の現在位置情報から、携帯電話機１００の現在位置が含まれる地域の通信回線品質予測値を読み出して携帯電話機１００に送信する。一方、携帯電話機１００では、自身の存在する地域の通信回線品質予測値に基づいてデータ送信開始の判定を行えば良い。このようにすることで、通信回線品質予測値記録部５０３に記録する通信回線品質予測値のデータ量が位置毎から地域毎になる為、データ量を削減することができる。
【００６１】
このように、本実施の形態によれば、携帯電話機１００は、データ送信指示があると、通信回線品質予測値管理装置５００に接続して通信回線品質予測値を読み込み、通信回線品質予測値と通信回線品質の両方がデータ送信を開始可能な値であると判定してからデータの送信を開始する。これにより、データ送信開始の判定を２重に行う為、データ送信を開始できないという事態を避けることができることに加え、データ通信が切断される可能性を更に低減することができる。
【００６２】
（実施の形態４）
次に、本発明の実施の形態４に係る移動通信システムについて説明する。
本実施の形態に係る移動通信システムは、実施の形態３に係る移動通信システムの機能に、携帯電話機１００の通信制御部１０２が送信すべきデータのデータ量に応じてデータ送信の開始を制御する機能を加えた構成としたものである。
この為、本実施の形態に係る移動通信システムの構成は図１及び図４と同様であるが、一部構成の異なる部分についてのみ説明する。
【００６３】
本実施の形態の通信制御部１０２は、携帯電話機１００の利用者が設定可能な送信データの送信データ量閾値を保持しており、この送信データ量閾値と送信すべきデータのデータ量とに基づいてデータ送信の開始制御を行う。
【００６４】
本実施の形態の通信回線品質予測値記録部５０３には、地域毎における通信回線品質の所定期間の統計に基づいた、地域毎の通信回線品質の予測値が、図８に示すような通信回線品質管理テーブルに記録されている。又、通信回線品質の予測値が記録されている地域を示す地域マップが図８に示すように記録されている。尚、本実施の形態では、実施の形態３と同様に、通信回線品質予測値記録部５０３には、位置毎における通信回線品質予測値を記録しておく構成としても良い。
【００６５】
本実施の形態に係る移動通信システムの動作について、図９に示すシーケンスチャートを用いて説明する。尚、図７と同様のシーケンスについては同一符号を付して説明を省略する。
【００６６】
ステップＳ７０１において携帯電話機１００の使用者によってデータ送信の指示があると、通信制御部１０２は、送信するデータのデータ量を参照し、この送信データ量と送信データ量閾値とを比較する（ステップＳ９０１）。
【００６７】
この比較において、送信データ量が送信データ量閾値より小さい場合（ステップＳ９０１：ＮＯ）、通信制御部１０２は、通信回線品質予測値管理装置５００から通信回線品質予測値を読み込むことなく、ステップＳ７０７に動作を移行する。一方、送信データ量が送信データ量閾値より大きい場合（ステップＳ９０１：ＹＥＳ）は、ステップＳ７０２に動作を移行する。
【００６８】
通信制御部５０２は、携帯電話機１００からの通信回線品質予測値要求を受けると、通信回線品質予測値記録部５０３から通信回線品質予測値を読み出す（ステップＳ
７０４）。この場合、図８に示したように、携帯電話機１００の現在地を含む地域「ｚ２８」の通信回線品質が通信回線品質予測値として読み出される。この後のステップＳ７０５からステップＳ７０８までの動作は、上述した通りである。
【００６９】
このように、本実施の形態によれば、通信制御部１０２は、通信回線品質予測値判定の開始の基準として送信データ量閾値を使用するが、送信データ量閾値は携帯電話機１００の利用者によって設定可能である。これにより、ある程度以下のデータ量の場合は通信回線品質予測値管理装置５００に接続することなく、データの送信開始判定を行うことで、データ通信に要する時間やコストを削減することが可能となる。
【００７０】
又、通信回線品質予測値記録部５０３は地域毎に通信回線品質を管理している為、地域内に含まれる位置における通信回線品質は、その地域全体の通信回線品質として管理されることになる。したがって、通信回線品質予測値記録部５０３に記憶する情報量を削減することが可能となる。
【００７１】
（実施の形態５）
次に、本発明の実施の形態５に係る移動通信システムについて説明する。
本実施の形態に係る移動通信システムは、実施の形態３又は実施の形態４に係る移動通信システムの機能に、携帯電話機１００の通信制御部１０２がデータ送信先の送信優先度に応じてデータ送信の開始を制御する機能を加えた構成としたものである。
この為、本実施の形態に係る移動通信システムの構成は図１及び図４と同様であるが、一部構成の異なる部分についてのみ説明する。
【００７２】
本実施の形態の送信先情報保持部１０５は、図１０に示したような送受信先情報管理テーブルを保持しており、送信先毎の送信優先度情報等を記憶している。又、本実施の形態の通信制御部１０２は、携帯電話機１００の利用者が設定可能な送信優先度閾値を保持しており、この送信優先度閾値と送信先情報保持部１０５に保持されているデータ送信先の送信優先度とに基づいてデータ送信の開始制御を行う。
【００７３】
本実施の形態に係る移動通信システムの動作について、図１１に示すシーケンスチャートを参照して説明する。尚、図９と同一のシーケンスには同質符号を付して説明を省略する。
ステップＳ７０１において携帯電話機１００の使用者によってデータ送信の指示があると、通信制御部１０２は、送信先情報保持部１０５からデータ送信先の送信優先度情報を取得し、送信優先度情報と送信優先度閾値とを比較する（ステップＳ１１０１）。
【００７４】
送信優先度情報が送信優先度閾値よりも高かった場合（ステップＳ１１０１：ＹＥＳ）、通信制御部１０２は即座にデータ送信を開始する（ステップＳ７０８）。一方、送信優先度情報が送信優先度閾値よりも低かった場合（ステップＳ１１０１：ＮＯ）、動作をステップＳ９０１に移行する。この後のステップＳ７０２からステップＳ７０８までの動作は、上述した通りである。
【００７５】
このように、本実施の形態によれば、通信制御部１０２は、即座にデータ送信を開始するかどうかの判定基準として送信優先度閾値を使用するが、送信優先度閾値は携帯電話機１００の利用者によって設定可能である。これにより、ある程度以上優先度の高い送信先に送信するデータについては、即座にデータ送信を開始するように設定できる。この為、携帯電話機１００の利用者の意図に応じた使い方が可能となる。
【００７６】
（実施の形態６）
次に、本発明の実施の形態６に係る移動通信システムについて説明する。
本実施の形態に係る移動通信システムは、実施の形態５に係る移動通信システムにおいて、携帯電話機１００が、携帯電話機１００の現在位置情報だけでなく、携帯電話機１００の移動速度情報も通信回線品質予測値管理装置５００に送信する構成としたものである。又、通信回線品質予測値管理装置５００が、携帯電話機１００の現在位置情報と移動速度情報とに基づいて、通信回線品質予測値を携帯電話機１００に送信する構成としたものである。
この為、本実施の形態に係る移動通信システムの構成は図１及び図４と同様であるが、一部構成の異なる部分についてのみ説明する。
【００７７】
本実施の形態の通信制御部１０２は、使用者からのデータ送信指示により、位置検出部１０３から読み出した現在位置情報に加え、移動速度検出部１０４から読み出した移動速度情報を通信回線品質予測値管理装置５００に対して送信し、通信回線品質予測値要求を行う。
【００７８】
本実施の形態の通信回線品質予測値管理装置５００内の通信回線品質予測値記録部５０３は、地域毎の通信回線品質の所定期間における統計に基づいた、地域毎の通信回線品質の予測値が図１２に示すような通信回線品質管理テーブルに記録されている。又、通信回線品質の予測値が記録されている地域を示す地域マップが図１２に示すように記録されている。
【００７９】
本実施の形態の通信回線品質予測値管理装置５００内の通信制御部５０２は、携帯電話機１００から送信される現在位置情報と移動速度情報とから携帯電話機１００の移動する範囲を予測する。更に、予測した移動範囲内に含まれる地域の通信回線品質のうち最低値のものを選択して携帯電話機１００に送信する。
【００８０】
次に、本実施の形態に係る移動通信システムの動作について説明する。尚、図１２と同様のシーケンスには同一符号を付して説明を省略する。
通信制御部１０２は、ステップＳ１３０２において、位置検出部１０３から現在位置情報を、移動速度検出部１０４から移動速度情報を読み出し、通信回線品質予測値管理装置５００に対して送信し（ステップＳ１３０３）、通信回線品質予測値要求を行う。
【００８１】
又、通信制御部５０２は、携帯電話機１００からの通信回線品質予測値要求を受けると、通信回線品質予測値記録部５０３から通信回線品質予測値を読み出す（ステップＳ１３０４）。このとき、携帯電話機１００から通知された移動速度情報から携帯電話機１００の移動範囲を予測し、通信回線品質予測値として、移動範囲内に含まれる地域の通信回線品質から最低値のものを通信回線品質予測値として読み出す。
【００８２】
図１２のような場合だと、予測移動範囲内（図中矢印のかかる範囲）には「地域ｚ９、ｚ１５、ｚ１６、ｚ２２、ｚ２８」が含まれるので、これらの地域の通信回線品質から最低値のものが通信回線品質予測値として読み出される。この後のステップＳ７０５からステップＳ７０８の動作は上述した通りである。
【００８３】
尚、本実施の形態の移動通信システムに、実施の形態３又は実施の形態４の構成（図１３においてステップＳ１１０１又はＳ９０１の少なくとも一方がない構成）を適用することも可能である。
【００８４】
このように、本実施の形態によれば、携帯電話機１００から通知される移動速度情報を基に携帯電話機１００の移動範囲を予測し、予測移動範囲内の地域の最低の通信回線品質が通信回線品質予測値として読み出される。そして、この通信回線品質予測値と現在位置の通信回線品質の測定値とに基づいて、データ送信を開始するか否かを判断している。したがって、現在位置における通信回線品質が良くても、これから移動する地域における通信回線品質も良くなければ、データ送信は開始されない為、データ送信が途中で切断される可能性をより低くでき、確実にデータ送信を行うことが可能となる。
【００８５】
【発明の効果】
本発明によれば、面倒な作業を必要とせずにデータを効率的に送信することが可能な移動通信装置、通信回線品質予測値管理装置、及び移動通信システムを提供することができる。
【図面の簡単な説明】
【図１】本発明の実施の形態１に係る携帯電話機の構成を示すブロック図である。
【図２】本発明の実施の形態１に係る携帯電話機の動作を説明する為のフローチャートである。
【図３】本発明の実施の形態２に係る携帯電話機の動作を説明する為のフローチャートである。
【図４】本発明の実施の形態２に係る携帯電話機の動作を説明する為の図である。
【図５】本発明の実施の形態３に係る通信回線品質予測値管理装置の構成を示すブロック図である。
【図６】本発明の実施の形態３に係る通信回線品質予測値管理装置で用いられる通信回線品質管理テーブルを示す図である。
【図７】本発明の実施の形態３に係る移動通信システムの動作を説明する為のシーケンスチャートである。
【図８】本発明の実施の形態４に係る移動通信システムの通信回線品質予測値管理装置で用いられる通信回線品質管理テーブルを示す図である。
【図９】本発明の実施の形態４に係る移動通信システムの動作を説明する為のシーケンスチャートである。
【図１０】本発明の実施の形態４に係る移動通信システムの移動通信装置で用いられる送信先情報管理テーブルを示す図である。
【図１１】本発明の実施の形態５に係る移動通信システムの動作を説明する為のシーケンスチャートである。
【図１２】本発明の実施の形態６に係る移動通信システムの移動通信装置で用いられる通信回線品質管理テーブルを示す図である。
【図１３】本発明の実施の形態６に係る移動通信システムの動作を説明する為のシーケンスチャートである。
【符号の説明】
１０１　通信回線接続部
１０２　通信制御部
１０３　位置検出部
１０４　移動速度検出部
１０５　送受信先情報保持部
１０６　通信回線品質測定部
５０１　通信回線接続部
５０２　通信制御部
５０３　通信回線品質予測値記録部
【図１】
2004080421.tif 000003
【図２】
2004080421.tif 000004
【図３】
2004080421.tif 000005
【図４】
2004080421.tif 000006
【図５】
2004080421.tif 000007
【図６】
2004080421.tif 000008
【図７】
2004080421.tif 000009
【図８】
2004080421.tif 000010
【図９】
2004080421.tif 000011
【図１０】
2004080421.tif 000012
【図１１】
2004080421.tif 000013
【図１２】
2004080421.tif 000014
【図１３】
2004080421.tif 000015